(57)【要約】      （修正有）【課題】外装部材の合わせ部の防滴に関し、外装部材同士の隙間の品位を損なうことなく、外装部材の合わせ部の防滴性能を確保するための防滴構造を提供する。【解決手段】防滴部材305aが一体的に成形された第一の外装部材305と、防滴部材305aに対向する当接面300bbを有する第二の外装部材300と、第一及び第二の外装部材が固定される本体フレーム400とを有し、防滴部材305aは、当接面300bbと対向する側の面が先端部に向かって厚みが薄くなるように形成された傾斜面305aaを有しており、当接面300bbは、傾斜した第一の当接面300bbaと、第二の当接面300bbbとからなり、第一の当接面300bbaと第二の当接面300bbbの切換え点は、防滴部材305aの厚み方向において、防滴部材305aの先端部の厚みの間に位置している。【選択図】図６
2015145899.tif 000002
【特許請求の範囲】
【請求項１】
弾性部材からなる防滴部材(305a,305b)が一体的に成形された第一の外装部材(305)と、
前記防滴部材(305a,305b)に対向する位置に設けられた当接面(300bb,302cc) を有する第二の外装部材(300,302)と、前記第一及び第二の外装部材が固定される本体フレーム(400)と、
前記防滴部材(305a,305b)の側面は、少なくとも前記当接面(300bb,302cc)と対向する側の面が先端部に向かって厚みが薄くなるように形成された傾斜面(305aa,305ba)を有しており、
前記当接面(300bb,302cc)は、前記防滴部材(305a,305b)の傾斜面(305aa,305ba)の角度(θae,θbe)よりも前記防滴部材(305a,305b)に近づくように傾斜した第一の当接面(300bba,302cca)と、該第一の当接面(300bba,302cca)よりさらに前記防滴部材(305a,305b)に近づく方向に傾斜した第二の当接面(300bbb,302ccb)とからなり、
前記第一の当接面(300bba,302cca)と前記第二の当接面(300bbb,302ccb)の切換え点(300d,302d)は、前記防滴部材(305a,305b)の厚み方向において、前記防滴部材(305a,305b)の先端部の厚みの間(1000aと1000bまたは2000aと2000bの間)に位置していることを特徴とする外装の防滴構造。
【請求項２】
前記第一の外装部材(305)は樹脂で成形され、前記防滴部材(305)は、前記第一の外装部材(305)の樹脂部に潜りこんだアンカー部を有しており、前記第一の外装部材(305)の樹脂部には前記防滴部材(305a,305b)のアンカー部の内観側及び外観側を覆う側壁（305e,305f,305g,305h）が設けられ、前記内観側の側壁(305f, 305h）と前記外観側の側壁(305e, 305g）の高さが異なることを特徴とする請求項１に記載の外装部材の防滴構造。
【請求項３】
前記第一の外装部材(305)の前記本体(400)との固定部は、前記防滴部材(305a,305b)の近傍に配置され、前記第二の外装部材(300,302)の前記本体(400)との固定部(1001,1004の固定部)は、前記当接面(300bb,302cc)の近傍に配置されていることを特徴とする請求項１又は請求項２に記載の外装部材の防滴構造。
【請求項４】
前記第二の当接面(300bbb,302ccb)は、前記防滴部材(305a,305b)の高さ方向と垂直であることを特徴とする請求項１乃至請求項３の何れか１項に記載の外装部材の防滴構造。
【請求項５】
前記第一の外装部材(305)は樹脂で形成され、前記第一の外装部材(305)に一体的に形成された防滴部材(305a,305b)は、エラストマーあるいはシリコンで形成されていることを特徴とする請求項１乃至請求項４の何れか１項に記載の外装の防滴構造。
【発明の詳細な説明】
【技術分野】
【０００１】
本発明は、外装部材の合わせ部の防滴構造に関するものである。
【背景技術】
【０００２】
従来、外装部材が分割された合わせ部の防滴の構成としては、例えば特許文献１に開示されている。特許文献１では、外装部材に防滴部材が形成され、防滴部材に対向する外装部材に設けられた傾斜した当接面と当接する（防滴部材を当接面に沿って倒す）防滴構成が提案されている。
【０００３】
しかし、上記構成では、防滴部材と当接面の位置関係が、防滴部材の高さ方向だけでなく、厚み方向で離れる方向にばらついた場合においても、防滴部材と当接面が離れることになる。このため、防滴部材と当接面の干渉量を大きくする必要が生じる。防滴部材と当接面の干渉量を大きくすることにより、防滴部材の反発力が大きくなり、外装部材同士の隙間が大きくなるという問題があった。
【０００４】
そこで、特許文献２では、防水機器の本体側に設けられた凹部と、開閉する蓋部材と有している。蓋部材を閉じたときに凹部の口元を囲うように蓋部材の裏側に設けられた防滴部材を有する。防滴部材は、裏側から凹部周りの当接面の方向に延びた凹部周りを囲う壁を有する枠状に形成され、蓋部材が閉じて防滴部材が当接面に当接したときに防滴部材の自由端先端が当接面と当接して凹部の口元の外方に向かって変位する。防水機器の本体側に設けられ、凹部の口元近傍に設けられた凸部であって、防滴部材の先端が当接面に当接すると、先端が接触し、先端が口元全周に亘って口元から外方に誘導されるように形成された誘導凸部とを具備する構成が開示されている。
【先行技術文献】
【特許文献】
【０００５】
【特許文献１】特開２０１１―１７５０９７号公報
【特許文献２】特開２０１１―１８７６５３号公報
【発明の概要】
【発明が解決しようとする課題】
【０００６】
特許文献２に開示された従来技術では、防滴部材と誘導凸部との位置関係が防滴部材の厚み方向で離れる方向にばらついた場合においても、防滴部材の先端と本体側凹部の当接面が当接するため、防滴性能を確保することができる。
【０００７】
しかし、防滴部材の先端が本体側凹部の当接面に先当たりするため、防滴シール部材が誘導凸部に沿わないで逆向きに倒れる可能性があり、防滴性能が安定しないという課題が残る。
【０００８】
本発明は上記問題点を鑑みてなされたものであり、本発明の目的は外装部材の合わせ部の防滴に関し、外装部材同士の隙間の品位を損なうことなく、外装部材の合わせ部の防滴性能を確保するための防滴構造を提案することである。
【課題を解決するための手段】
【０００９】
上記目的を達成するために、本発明の撮像装置は、
弾性部材からなる防滴部材が一体的に成形された第一の外装部材と、
防滴部材に対向する位置に設けられた当接面を有する第二の外装部材と、第一及び第二の外装部材が固定される本体フレームと、
防滴部材の側面は、少なくとも当接面と対向する側の面が先端部に向かって厚みが薄くなるように形成された傾斜面を有しており、
当接面は、防滴部材の傾斜面の角度よりも防滴部材に近づくように傾斜した第一の当接面と、第一の傾斜面よりさらに防滴部材に近づく方向に傾斜した第二の当接面とからなり、
第一の当接面と第二の当接面の切換え点は、防滴部材の厚み方向において、防滴部材の先端部の厚みの間に位置していることを特徴とする。
【発明の効果】
【００１０】
本発明によれば、外装部材の合わせ部の防滴に関し、外装部材同士の隙間の品位を損なうことなく、外装部材の合わせ部の防滴性能を確保することが可能となる。
【図面の簡単な説明】
【００１１】
【図１】（ａ）本発明におけるデジタル一眼レフカメラを被写体側から見た外観斜視図（ｂ）本発明におけるデジタル一眼レフカメラを撮影者側から見た外観斜視図である。
【図２】本発明におけるデジタル一眼レフカメラのブロック図である。
【図３】本発明におけるデジタル一眼レフカメラの外装カバーの被写体側から見た展開斜視図である。
【図４】本発明におけるデジタル一眼レフカメラの外装カバーの撮影者側から見た展開斜視図である。
【図５】本発明におけるデジタル一眼レフカメラの弾性部材（防滴部材）と当接面の位置関係を説明する断面図である。
【図６】本発明におけるデジタル一眼レフカメラの弾性部材（防滴部材）が当接面に当接された状態を説明する断面図である。
【発明を実施するための形態】
【００１２】
［実施例］
以下、図１及び図２を参照して、デジタル一眼レフカメラの動作概略について説明する。
【００１３】
図１は本発明を適用したデジタル一眼レフカメラの外観斜視図である。
【００１４】
図２は本実施例におけるデジタル一眼レフカメラのブロック図である。
【００１５】
本実施のカメラ100の上面外装カバー301に設けられた主電源スイッチ107がON位置へ操作されると、カメラマイコン10は所定のシーケンスによりカメラを起動する。
【００１６】
カメラマイコン10は操作検出回路12により操作部材の操作を検出すると、対応する設定を行う。例えば、撮影モードダイヤル108が操作され撮影モードが選択されると、選択された撮影モードに対応したシャッタースピードと絞りとの組み合わせを決定するプログラム線図を設定する。また電子ダイヤル105が操作されると、露出補正などの設定を行う。ISO感度設定ボタン106が操作されると、ISO感度条件を設定する。
【００１７】
撮影モードダイヤル108で自動設定モードが選択された場合における一連の撮影動作を述べる。操作検出回路12によりレリーズボタン104が第一の位置まで押し込まれたことが検知されると、カメラマイコン10は撮影条件制御回路13を駆動する。次に、適切なシャッタースピードと絞り値を決定するために、ファインダ近辺に設けられた不図示の測光センサーにより被写体光を測光する。
【００１８】
また、不図示の焦点検出センサーにより測距点の焦点検出状態を検出し、測距点が合焦するようにＡＦ制御回路１１はレンズ制御回路１９を駆動し、不図示の撮影レンズを選択された測距点が合焦する位置まで駆動させる。
【００１９】
操作検出回路12によりレリーズボタン104が第二の位置まで押し込まれたことが検知されると、不図示の撮像素子に被写体光が到達するように、カメラマイコン10はモーター制御回路14を駆動し、ミラーユニットを所定の位置に退避させ、不図示のシャッターを開放する。次に、カメラマイコン10はモーター制御回路14を駆動し、所定の時間でシャッターを遮光状態とする。撮像素子に被写体光が到達した状態でカメラマイコン10は撮像素子駆動回路15を駆動し、光電変換により被写体光を電子データとして取得する。取得された電子データはデータ処理回路16により所定の増幅、変換、補正などのデータ処理を施され、撮影画像データとなる。
【００２０】
カメラマイコン10は記録処理回路17を駆動することで、得られた撮影画像データを不図示のメモリーに記録する。撮影者が画像再生ボタン109を操作すると、カメラマイコン10は再生処理回路18を駆動し、カメラ背面側に設けられた表示装置110にメモリーに保存されている撮影画像を表示させる。
【００２１】
次に、図３〜図７を用いて本発明の実施例における外装カバーの防滴構造について説明する。
【００２２】
図３及び図４は本発明を適用したデジタル一眼レフカメラの外装カバーの被写体側及び撮影者側から見た展開斜視図である。
【００２３】
図３及び図４において、本発明のデジタル一眼レフカメラ100の外装を覆うカバーは、正面外装カバー300、上面外装カバー301、背面外装カバー302、右側面外装カバー（メディアカバー）303、左側面外装カバー（ターミナルカバー）304、底面外装カバー305の６つに分割されている。また、６つに分割された外装カバーは、カメラ100の骨組みをなす本体フレーム400に対して、右側面外装カバー303、底面外装カバー305、上面外装カバー301、正面外装カバー300、背面外装カバー302、左側面外装カバー304の順に組み付けられる。
【００２４】
正面外装カバー300、上面外装カバー301、背面外装カバー302はマグネシウム合金等の金属で成形されている。右側面外装カバー303は、樹脂で成形され、上面外装カバー301との合わせの端部近傍と背面外装カバー302との合わせの端部近傍に弾性を有する弾性部材303aがＬ字状に樹脂と一体的に成形されている。
【００２５】
左側面外装カバー304は、樹脂で成形され、正面外装カバー300と、上面外装カバー301と、背面外装カバー302と、底面外装カバー305との合わせの端部近傍に弾性部材304aが樹脂と一体的に成形されている。
【００２６】
また、底面外装カバー305は、樹脂で成形され、正面外装カバー300との合わせ端部に弾性部材305aが、背面外装カバー302との合わせ端部に弾性部材305bが樹脂と一体的に成形されている。
【００２７】
また、図1に示すような各外装カバー300〜305が本体フレーム400に組み付けられた状態において、正面外装カバー300には、左側面外装カバー304の弾性部材304aと対向する位置に当接面300aaと、底面外装カバー305の弾性部材305aと対向する位置に当接面300bbが設けられている。
【００２８】
上面外装カバー301には、右側面外装カバー303の弾性部材303aと対向する位置に当接面301aaと、左側面外装カバー304の弾性部材304aと対向する位置に当接面301bbが設けられている。
【００２９】
背面外装カバー302には、右側面外装カバー303の弾性部材303aと対向する位置に当接面302aaと、左側面外装カバー304の弾性部材304aと対向する位置に当接面302bbと、底面外装カバー305の弾性部材305bに対向する位置に当接面302ccとが設けられている。
【００３０】
さらに、底面外装カバー305には、左側面外装カバー304の弾性部材304aと対向する位置に当接面305ccが設けられている。
【００３１】
また、上面外装カバー301には、正面外装カバー300との合わせ端部近傍に防滴シール部材201が、背面外装カバー302との合わせ端部近傍に防滴シール部材202が貼りつけられている。また、正面外装カバー300には、防滴シール部材201と対向する位置に当接面300ccが設けられ、背面外装カバー302には、防滴シール部材202と対向する位置に当接面302ddが設けられている。
【００３２】
図５及び図６は本実施のデジタル一眼レフカメラの正面外装カバー300及び背面外装カバー302と底面外装カバー305との合わせ部の垂直断面図である。図５及び図６を用いて、樹脂の外装カバーに一体的に成形された弾性部材と対向する弾性部材の当接面の位置関係及び弾性部材の当接状態について説明する。
【００３３】
図5（ａ）は正面外装カバー300を本体フレーム400に組み付ける前の状態を示している。図5（ｂ）は背面外装カバー302が本体フレーム400に組み付ける前の状態を示している。
【００３４】
図5（ａ）において、底面外装カバー305に設けられた弾性部材305aは、正面外装カバー300の側に傾斜面305aaを有している。また、弾性部材305bは、背面外装カバー302の側に傾斜面305baを有している。正面外装カバー300には弾性部材305aの傾斜面305aaと対向する位置に当接面300bbが設けられている。さらに、当接面300bbは、稜線300dで外観側の第一当接面300bbaと第一当接面300bbaよりも傾斜角が大きい内観側の第二当接面300bbbの2つの面に分割されている（θfs2＞θfs1）。
【００３５】
また、背面外装カバー302には弾性部材305bの傾斜面305baと対向する位置に当接面302ccが設けられている。さらに、当接面302ccは、稜線302dで外観側の第一当接面302ccaと第一当接面300ccaよりも傾斜角が大きい内観側の第二当接面302ccbの2つの面に分割されている（θbs2＞θbs1）。
【００３６】
ここで、当接面300bbaの傾斜角θfs1は、弾性部材305aの傾斜角θaeよりも大きくなるように構成されている（θfs1＞θae）。同様に、当接面302ccaの傾斜角θbs1は、弾性部材305bの傾斜角θbeよりも大きくなるように構成されている（θbe＜θbs1）。
【００３７】
なお、本実施例においては、θfs2＝θbs2＝90°と設定する。
【００３８】
また、当接面300bbの稜線300dは、弾性部材305aの傾斜面305aaと弾性部材の先端面305abの交わる稜線から水平に伸ばしたライン1000aと、弾性部材305aの内観側側面305acと先端面305abの交わる稜線から水平方向に伸ばしたライン1000bの間に位置するように構成されている。
【００３９】
同様に、当接面302ccの稜線302dは、弾性部材305bの傾斜面305baと弾性部材の先端面305bbの交わる稜線から水平に伸ばしたライン2000aと、弾性部材305bの内観側側面305bcと先端面305bbの交わる稜線から水平方向に伸ばしたライン2000bの間に位置するように構成されている。
【００４０】
次に、図6（ａ）は正面外装カバー300が本体フレーム400に組み付けられて弾性部材が当接面に当接した状態を示している。図6（ｂ）は背面外装カバー302が本体フレーム400に組み付けられて弾性部材が当接面に当接した状態を示している。
【００４１】
図6（ａ）において、正面外装カバー300及び底面外装カバー305は、隙間500の近傍のビス1001及び1002により、隙間500が広がらないように本体フレーム400に締結固定されている。正面外装カバー300が本体フレーム400に組み付けられた状態で底面外装カバー305の弾性部材305aに設けられた傾斜面305aaが、正面外装カバー300の第一当接面300bba及び第二当接面300bbbに当接される。当接面に当接されると、弾性部材305aが弾性変形し（内観側に倒れ）、正面外装カバー300と底面外装カバー305の合わせ部500に生じる隙間を内側で塞いでいる。また、弾性部材305aは底面外装カバー305の樹脂部に潜り込むように成形されており、樹脂からなる外観側側壁305eと内観側側壁305fにより挟みこまれている。ここで、弾性部材305aの高さ方向に対して、外観側側壁305eは、内観側側壁305fよりも低く形成されている。
【００４２】
同様に図6（ｂ）において、正面外装カバー302及び底面外装カバー305は、隙間600の近傍のビス1003及び1004により、隙間600が広がらないように本体フレーム400に締結固定されている。背面外装カバー302が本体フレーム400に組み付けられた状態で底面外装カバー305の弾性部材305bに設けられた傾斜面305baが、背面外装カバー302の第一当接面302cca及び第二当接面300ccbに当接される。当接面に当接されると、弾性部材305bが弾性変形し（内観側に倒れ）、背面外装カバー302と底面外装カバー305の合わせ部600に生じる隙間を内側で塞いでいる。また、弾性部材305bは底面外装カバー305の樹脂部に潜り込むように成形されており、樹脂からなる外観側側壁305gと内観側側壁305hにより挟みこまれている。ここで、弾性部材305bの高さ方向に対して、外観側側壁305gは、内観側側壁305hよりも低く形成されている。
【００４３】
本実施の形態によれば、
当接面300bb（302cc）の稜線300d（302d）が弾性部材305a（305b）の傾斜面305aa（305ba）と弾性部材305a（305b）の先端面305ab（305bb）の交わる稜線から水平方向に伸ばしたライン1000a（2000a）と、弾性部材305a（305b）の内観側側面305ac（305bc）と先端面305ab（305bb）の交わる稜線から水平方向に伸ばしたライン1000b（2000b）の間に位置するように構成されている。これにより、弾性部材305a（305b）の傾斜面305aa（305ba）が、正面外装カバー300（背面外装カバー302）の当接面300bb（302cc）と確実に当接することができ、弾性部材305a（305b)を第一当接面300bba（302cca）に沿って内観側に傾倒することが可能となる。このため、弾性部材305a（305b）が弾性変形することにより生じる反発力が、弾性部材305a（305b）の押圧方向（弾性部材の高さ方向）と逆方向だけでなく、厚み方向にも分散される。また、隙間500（600）の近傍で正面外装カバー300（背面外装カバー302）及び底面外装カバー305を本体フレーム400に対してビスで締結固定することで、弾性部材305a（305b）の反発力による隙間の発生を抑制することができる。
【００４４】
また、弾性部材305a（305b）と当接面300bb（302cc）の位置関係が弾性部材305a（305b）の厚み方向で離れる方向にばらついた場合においても、第二当接面300bbb（302ccb）の傾斜角θfs2（θbs2）＝90°のため、弾性部材305a（305b）が第二当接面300bbb（302ccb）から離れることはなく、弾性部材305a（305b）が第二当接面300bbb(302ccb)と確実に接触を保つことができる。
【００４５】
さらに、弾性部材305a（305b）の傾斜面305aa（305ba）が第一当接面300bba（302cca）だけでなく、第二当接面300bbb（302ccb）とも当接することで、弾性部材と当接面の密着面積が増えて防滴性能を向上することが可能となる。
【００４６】
また、弾性部材305a（305b）の高さ方向に対して、外観側側壁305e（305g）が内観側側壁305f（305h）よりも低く形成されていることにより、弾性部材305a（305b）が内観側に傾倒した際に、弾性部材305a（305b）と外観側側壁305e(305g)の融着面において剥離力が作用しにくくなる。これにより、弾性部材305a（305b）が長時間傾倒した状態で放置された場合においても、弾性部材305a（305b）が外観側側壁305e(305g)から剥離しにくいようになる。
【００４７】
なお、本実施例では、弾性部材が当接面に当接する状態を正面外装カバー300と底面外装カバー305及び背面外装カバー302と底面外装カバー305を用いて説明したが、他の外装カバーの合わせ箇所についても同様の構成となっている。また、上面外装カバー301をマグネシウム合金等の金属で成形し、防滴のために防滴シール部材201及び202を別部材としているが、上面外装カバー301を樹脂で成形し、防滴シール部材201、202の代わりに弾性部材を一体的に成形する構成としても構わない。
【００４８】
また、樹脂で成形された右側面外装カバー303、左側面外装カバー304、底面外装カバー305に一体的に成形された弾性部材としたが、弾性部材をアウトサート成形（RIM成形等）する構成としても構わない。
【符号の説明】
【００４９】
100：カメラ本体
300：正面外装カバー
301：上面外装カバー
302：背面外装カバー
303：右面外装カバー
304：左面外装カバー
305：底面外装カバー
400：本体フレーム
303a、304a、305a、305b：弾性部材（防滴部材）
305aa、305ba：弾性部材（防滴部材）の傾斜面
300aa、300bb（300bba,300bbb）、301aa、301bb、302aa、302bb、
302cc（302cca,302ccb）：弾性部材が当接する面
【図１】
2015145899.tif 000003
【図２】
2015145899.tif 000004
【図３】
2015145899.tif 000005
【図４】
2015145899.tif 000006
【図５】
2015145899.tif 000007
【図６】
2015145899.tif 000008